(57)【要約】      （修正有）【課題】部品点数を減らすことができ、組み立て時間を短縮することができる盲人用標識付き床マットを提供する。【解決手段】凹状で長尺状の係合溝９と、この係合溝９の底部である底壁１０の下面中央に係合溝９の長さ方向全長に亘って形成される凹状の筒状部１３と、係合溝９の底壁１０の下面における筒状部１３の両側に形成される連結溝１４，１４とを備えた枠体２と、隣接する枠体２の隣り合う連結溝１４，１４に下方から嵌合して枠体２を連結する弾性軟質樹脂からなる連結部材３と、係合溝９に係合される表面マット部材４と、下面側に形成された雄ねじ部５が表面マット部材４に貫通された状態で表面マット部材４を上から覆うように枠体２にナット１６止めされる点字鋲５とを備えている。【選択図】図１
0003178108.tif 000002
【実用新案登録請求の範囲】
【請求項１】
凹状で長尺状の上面係合溝を備え、連結部材により互いに並行に連結される枠体と、前記上面係合溝に係合される表面マット部材と、表面マット部材に載り枠体に固定される点字鋲とからなる盲人用標識付き床マット。
【請求項２】
枠体は上面係合溝の底部の下面中央に上面係合溝の長さ方向全長に亘って空洞部を備え、点字鋲の下面側に突出して形成された雄ねじ部には表面マット部材に挿通された状態で前記空洞部内においてナットが螺合されて点字鋲が枠体に固定されることを特徴とする請求項１記載の盲人用標識付き床マット。
【請求項３】
連結部材は弾性軟質樹脂からなることを特徴とする請求項１または２に記載の盲人用標識付き床マット。
【考案の詳細な説明】
【技術分野】
【０００１】
本考案は、盲人用標識付き床マットに関する。
【背景技術】
【０００２】
従来知られている盲人用標識付き床マットとしては、たとえば特許文献１に記載の盲人用標識を備えたスノコ状床マット（以下、床マットという。）がある。特許文献１に記載の床マットでは、複数本の桟部材が連結部材によって連結されており、桟部材の上面の嵌合凹部には、盲人用標識を構成する円形突起，四角形突起などの複数個の標識部材とマット部材とが交互に嵌合されている。この嵌合凹部に嵌合される複数個の標識部材によって「止まれ」，「注意」などの盲人用標識が形成される。標識部材は嵌合凹部に接着剤で固定され、あるいは嵌合凹部の裏面側からビス止めされて固定される。
【先行技術文献】
【特許文献】
【０００３】
【特許文献１】特開２００５−２０１９６９号公報
【考案の概要】
【考案が解決しようとする課題】
【０００４】
上記特許文献１に記載の床マットでは、嵌合凹部の端部から標識部材とマット部材とを交互にスライドさせて嵌め込むので、標識部材の設置位置によってマット部材の長さが変わるために部品点数が増加するとともに、組み立て作業に手間が掛かるという問題があった。
【０００５】
本考案の目的は、このような課題を解決するもので、部品点数を減らすことができ、組み立て時間を短縮することができる盲人用標識付き床マットを提供することである。
【課題を解決するための手段】
【０００６】
請求項１に係る考案は、凹状で長尺状の上面係合溝を備え、連結部材により互いに並行に連結される枠体と、前記上面係合溝に係合される表面マット部材と、表面マット部材に載り枠体に固定される点字鋲とからなるものである。
請求項２に係る考案は、枠体は上面係合溝の底部の下面中央に上面係合溝の長さ方向全長に亘って空洞部を備え、点字鋲の下面側に突出して形成された雄ねじ部には表面マット部材に挿通された状態で前記空洞部内においてナットが螺合されて点字鋲が枠体に固定されるものである。
【０００７】
請求項３に係る考案は、連結部材が弾性軟質樹脂からなるものである。
【考案の効果】
【０００８】
請求項１に記載の考案では、点字鋲が表面マット部材に載って枠体に固定されるので、一定の長さの表面マット部材を用いて部品点数を減らし、組み立て時間を短縮することができる。
【図面の簡単な説明】
【０００９】
【図１】本考案の一実施の形態に係る盲人用標識付き床マットの分解斜視図である。
【図２】同枠体を上下逆に向けて見た斜視図である。
【図３】（ａ），（ｂ），（ｃ）は同円形点字鋲の平面図，正面図，底面図である。
【図４】（ａ），（ｂ），（ｃ），（ｄ）は同第１の角型点字鋲の平面図，正面図，側面図，底面図である。
【図５】（ａ），（ｂ），（ｃ），（ｄ）は同第２の角型点字鋲の平面図，正面図，側面図，底面図である。
【図６】（ａ），（ｂ），（ｃ），（ｄ）は同長尺点字鋲の平面図，正面図，側面図，底面図である。
【図７】同完成した盲人用標識付き床マットの斜視図である。
【図８】同点字鋲取り付け部の断面図である。
【図９】同完成した盲人用標識付き床マットを裏向けた状態での斜視図である。
【図１０】同盲人用標識付き床マットを紙管に巻き付けた状態を示す側面図である。
【図１１】表面マット部材としてブラシマットを用いた盲人用標識付き床マットの斜視図である。
【図１２】表面マット部材としてゴムマットを用いた盲人用標識付き床マットの斜視図である。
【考案を実施するための形態】
【００１０】
以下、本考案の一実施の形態について図１〜図１２に基づいて説明する。図において盲人用標識付き床マット１は、多数本の枠体２と、隣り合う枠体２を連結する連結部材３と、枠体２に係合される表面マット部材４と、表面マット部材４を上から覆うように枠体２にナット１６止めされる円形点字鋲５、角型点字鋲６，７、長尺点字鋲８とを備えている。
【００１１】
枠体２は、たとえばアルミの押し出し材を用いて長尺状に形成されており、枠体２の上部には表面マット部材４が係合する上面係合溝９が形成されている。上面係合溝９は、底壁１０と、底壁１０の両側から長手方向に沿って立ち上がる側壁１１，１１を備えている。側壁１１，１１の上端には、全長に亘って鍔部１２，１２が形成されている。側壁１１，１１は底壁１０の下方に伸延しており、底壁１０の下面中央部には、断面長方形の空洞部１３が長手方向全長に亘って形成されている。この空洞部１３の両側における側壁１１，１１との間には、連結溝１４，１４が形成されている。
【００１２】
なお、底壁１０の幅方向中央部には長手方向所定の位置に貫通孔１５が設けられており、空洞部１３の下面には貫通孔１５の位置に合わせてナット締め付け用治具の挿入孔１７が設けられている。なお、貫通孔１５と挿入孔１７とは各々別々に形成されているが、たとえばドリルとホールソーとが一体に設けられた切削工具を用いることによって貫通孔１５と挿入孔１７とを同時に形成することもできる。
【００１３】
貫通孔１５には、円形点字鋲５、角型点字鋲６，７、長尺点字鋲８の下面から突出する雄ねじ部５ｂ，６ｂ，７ｂ，８ｂが挿通され、挿通された雄ねじ部５ｂ，６ｂ，７ｂ，８ｂには前記挿入孔１７から入れられたナット１６が螺合される。ナットは、たとえばボックスレンチを用いて螺合される。
【００１４】
前記連結部材３は、弾性軟質樹脂を用いて成型される。連結部材３の中央部には、隣接する枠体２，２間に挟み込まれる凸部１８が形成されており、凸部１８の両側には、隣接する枠体２，２の連結溝１４，１４に係合する係合部１９，１９が形成されている。連結部材３の内部には逆Ｔ字状の中空部２０が形成されており、連結部材３は弾性変形可能である。
【００１５】
前記表面マット部材４は、ゴム板２１にカーペット繊維２２が植え込まれて形成される。ゴム板２１として、たとえばスチレン・ブタジエンゴムが用いられ、カーペット繊維２２としては、たとえばポリプロピレンが用いられる。
【００１６】
前記点字鋲のうち円形点字鋲５は、平面形状が円形の本体部５ａと、本体部５ａの下面中央部から突出する雄ねじ部５ｂとを備えている。本体部５ａは金属製の額縁５ｃと額縁５ｃに嵌め込まれる樹脂製のマーク５ｄとを備えている。
【００１７】
角形点字鋲６，７は平面形状が四角形の本体部６ａ，７ａと、本体部６ａ，７ａの下面中央から突出する雄ねじ部６ｂ，７ｂとを備えている。本体部６ａ，７ａは金属製の額縁６ｃ，７ｃと額縁６ｃ，７ｃに嵌め込まれる樹脂製のマーク６ｄ，７ｄとを備えている。角形点字鋲６は緩やかな傾斜面を３方に備えるが、角形点字鋲７は緩やかな傾斜面を対向する２面に備えている。
【００１８】
前記長尺点字鋲８は平面形状が細長い四角形の本体部８ａと、本体部８ａの下面複数個所から突出する複数本の雄ねじ部８ｂとを備えている。本体部８ａは、金属製の額縁８ｃと、額縁８ｃに嵌め込まれる樹脂製のマーク８ｄとを備えている。これらの円形点字鋲５、角形点字鋲６，７および長尺点字鋲８は、表面マット部材４の上に載り、所望の点字模様となるように設置される。
【００１９】
ここで盲人用標識付き床マット１の組み立て手順について説明する。まず、枠体２の連結溝１４，１４に連結部材３が取り付けられて多数本の枠体２が連結される。連結部材３は、連結溝１４，１４に接着剤が塗布された状態で、係合部１９，１９が連結溝１４，１４の下側開口部側から嵌め込まれて取り付けられる。連結部材３は、少なくとも枠体２の長手方向の両端部に取り付けられる。
【００２０】
連結部材３によって連結された枠体２の上面係合溝９には表面マット部材４が係合される。表面マット部材４は、係合溝９の底壁１０に接着剤が塗布された状態で、係合溝９の上方から嵌め込まれる。
【００２１】
円形点字鋲５、角形点字鋲６，７、長尺点字鋲８は、枠体２に表面マット部材４が係合された状態で、本体部５ａ，６ａ，７ａ，８ａが表面マット部材４上に載るように設置され、雄ねじ部５ｂ，６ｂ，７ｂ，８ｂが表面マット部材４に挿通される。表面マット部材４には雄ねじ部５ｂ，６ｂ，７ｂ，８ｂが挿通される孔部が形成される。孔部は、表面マット部材４が枠体２の上面係合溝９に係合される前に予め形成することができる。あるいは表面マット部材４を上面係合溝９に係合し、底壁１０に貫通孔１５を形成するときに、貫通孔１５と同時に形成することもできる。
表面マット部材４に挿通された雄ねじ部５ｂ，６ｂ，７ｂ，８ｂは、枠体２の底壁１０に形成された貫通孔１５に挿通される。貫通孔１５に挿通された雄ねじ部５ｂ，６ｂ，７ｂ，８ｂには、空洞部１３の挿入孔１７からナット１６が差し込まれ螺合される。円形点字鋲５、角形点字鋲６，７、長尺点字鋲８は、このようにして表面マット部材４の上方から枠体２に容易に取り付けられる。
【００２２】
なお、盲人用標識付き床マット１の両端部において枠体２の連結溝１４には樹脂製の端部カバー２３が取り付けられる。また、枠体２同士を先に連結し、連結した枠体２に表面マット部材４や円形点字鋲５、角形点字鋲６，７、長尺点字鋲８を取り付けたが、表面マット部材４や円形点字鋲５、角形点字鋲６，７、長尺点字鋲８を枠体２に取り付けた後に枠体２を連結することもできる。
【００２３】
盲人用標識付き床マット１は、図１０に示すように、たとえば紙管２４に巻き付けてコンパクトに収納することができる。盲人用標識付き床マット１は裏面側が紙管に向いた状態で巻き付けられているが、これに限定されるものではなく、表面側が紙管に向いた状態で巻き付けることもできる。
【００２４】
本考案の実施の形態においては、表面マット部材４として、ゴム板２１にカーペット繊維２２が植え込まれたものを用いているが、これに限定されるものではない。表面マット部材４としてたとえば図１１に示すようなブラシマット４ａを用いることができる。ブラシマット４ａは表面マット部材４の一部に用いることができ、あるいはすべての表面マット部材４をブラシマット４ａにすることもできる。表面マット部材４として図１２に示すようなゴムマット４ｂを用いることができる。ゴムマット４ｂは表面マット部材４の一部に用いることができ、あるいはすべての表面マット部材４をゴムマット４ｂにすることもできる。ブラシマット４ａは、たとえばポリプロピレンを用いて形成され、ゴムマット４ｂは、たとえばスチレン・ブタジエンゴムを用いて形成される。
【００２５】
このように、盲人用標識付き床マット１は、凹状で長尺状の上面係合溝９と、この上面係合溝９の底部となる底壁１０の下面中央に上面係合溝９の長さ方向全長に亘って形成される凹状の空洞部１３と、前記上面係合溝９の底壁１０の下面における前記空洞部１３の両側に形成される連結溝１４，１４とを備えた枠体２と、隣接する枠体２の隣り合う連結溝１４，１４に下方から嵌合して枠体２を連結する弾性軟質樹脂からなる連結部材３と、上面係合溝９に係合される表面マット部材４と、下面側に形成された雄ねじ部５ｂ，６ｂ，７ｂ，８ｂが表面マット部材４に貫通された状態で表面マット部材４の上から載り前記空洞部１３内に位置させたナット１６により枠体２に固定される点字鋲５，６，７，８とを備えているので、点字鋲５，６，７，８の下面側に形成された雄ねじ部５ｂ，６ｂ，７ｂ，８ｂが表面マット部材４に挿通された状態で表面マット部材４の上から載るように枠体２にナット１６止めされて、容易に組み立てることができる。
【符号の説明】
【００２６】
１  盲人用標識付き床マット
２  枠体
３  連結部材
４  表面マット部材
５  円形点字鋲
５ｂ  雄ねじ部
６，７  角型点字鋲
６ｂ，７ｂ  雄ねじ部
８  長尺点字鋲
８ｂ  雄ねじ部    
９  上面係合溝
１０  底壁
１１  側壁
１２  鍔部
１３  空洞部
１４  連結溝
１５  貫通孔
１６  ナット
１７  挿入孔
１８  凸部
１９  係合部
２０  中空部
２１  ゴム板
２２  カーペット繊維
２３  端部カバー
２４  紙管
【図１】
0003178108.tif 000003
【図２】
0003178108.tif 000004
【図３】
0003178108.tif 000005
【図４】
0003178108.tif 000006
【図５】
0003178108.tif 000007
【図６】
0003178108.tif 000008
【図７】
0003178108.tif 000009
【図８】
0003178108.tif 000010
【図９】
0003178108.tif 000011
【図１０】
0003178108.tif 000012
【図１１】
0003178108.tif 000013
【図１２】
0003178108.tif 000014